(57)【要約】      【課題】  ディスプレイ回転期間中もユーザにその表示画像を快適に鑑賞させる。      【解決手段】  所定の構造体に回転可能に支持された画像を表示する表示部と、所定の構造体に対する表示部の角度を検出する角度検出手段と、検出された角度に応じて該画像を回転表示させる描画手段とを備えた画像表示装置を提供する。【選択図】      図４
2006259358.tif 000002
【特許請求の範囲】
【請求項１】
所定の構造体に回転可能に支持された、画像を表示する表示部と、
前記所定の構造体に対する前記表示部の角度を検出する角度検出手段と、
検出された角度に応じて該画像を回転表示させる描画手段と、を備えたこと、を特徴とする画像表示装置。
【請求項２】
前記描画手段が、前記所定の構造体に対する画像の角度を常に一定に保つよう当該画像を回転表示させること、を特徴とする請求項１に記載の画像表示装置。
【請求項３】
前記角度検出手段が前記表示部の回転方向を検出し、
前記描画手段が、検出された回転方向と逆方向に、検出された角度と同一角度、画像を回転表示させること、を特徴とする請求項１又は請求項２のいずれかに記載の画像表示装置。
【請求項４】
前記描画手段が、そのアスペクト比を常に一定に保つよう画像を表示させること、を特徴とする請求項１から請求項３のいずれかに記載の画像表示装置。
【請求項５】
前記角度検出手段がステッピングモータであること、を特徴とする請求項１から請求項４のいずれかに記載の画像表示装置。
【請求項６】
前記所定の構造体が車両に搭載された車載器であること、を特徴とする請求項１から請求項５のいずれかに記載の画像表示装置。
【請求項７】
所定の構造体に回転可能に支持された表示部に画像を表示する表示ステップと、
前記表示部を前記所定の構造体に対して回転させる回転ステップと、
前記所定の構造体に対する前記表示部の角度を検出する角度検出ステップと、
検出された角度に応じて該画像を回転表示させる描画ステップと、を含む画像表示方法。
【請求項８】
前記描画ステップにおいて、前記所定の構造体に対する画像の角度を常に一定に保つよう当該画像を回転表示させる、請求項７に記載の画像表示方法。
【請求項９】
前記角度検出ステップにおいて前記表示部の回転方向を検出し、
前記描画ステップにおいて、検出された回転方向と逆方向に、検出された角度と同一角度、画像を回転表示させる、請求項７又は請求項８のいずれかに記載の画像表示方法。
【請求項１０】
前記描画ステップにおいて、そのアスペクト比を常に一定に保つよう画像を表示させる、請求項７から請求項９のいずれかに記載の画像表示方法。
【請求項１１】
所定の構造体に回転可能に支持された表示部に画像を表示させ、
前記表示部を前記所定の構造体に対して回転させたとき、前記所定の構造体に対する前記表示部の角度を検出し、
検出された角度に応じて該画像を回転表示させる、画像表示プログラム。
【請求項１２】
前記所定の構造体に対する画像の角度を常に一定に保つよう当該画像を回転表示させる、請求項１１に記載の画像表示プログラム。
【請求項１３】
前記表示部の回転方向を検出し、
検出された回転方向と逆方向に、検出された角度と同一角度、画像を回転表示させる、請求項１１又は請求項１２のいずれかに記載の画像表示プログラム。
【請求項１４】
アスペクト比を常に一定に保つよう画像を表示させる、請求項１１から請求項１３のいずれかに記載の画像表示プログラム。
【請求項１５】
所定の構造体に回転可能に支持された、画像を表示する表示部と、
基準となる線に対する画像の角度を常に一定に保つよう当該画像を表示する表示制御手段と、を備えたこと、を特徴とする画像表示装置。
【発明の詳細な説明】
【技術分野】
【０００１】
この発明は、ディスプレイを他の構造に対して回転させることができる画像表示装置、画像表示方法、及び、画像表示プログラムに関する。
【背景技術】
【０００２】
電子機器や情報端末装置において、そのディスプレイ部分を他の構造に対して回転させられるものが広く知られ、実用に供されている。例えば特許文献１や２には、ディスプレイを備えたユニットと入力キー等を備えたユニットとを、例えば二軸ヒンジによって回転可能に結合した携帯電話が開示されている。ディスプレイを規定位置に回転させると、その位置に関連付けられたコンテンツが起動したり、回転後のディスプレイ位置に応じた向きで画像が表示されたりする。このようにディスプレイを回転させることにより、ユーザは、携帯電話等の情報端末装置を種々の形態で使用することができる。
【特許文献１】特開２００４−３１２４７６号公報
【特許文献２】特開２００２−１１８６３３号公報
【発明の開示】
【発明が解決しようとする課題】
【０００３】
しかしながら上記特許文献１や２では、ある規定位置から別の規定位置にディスプレイを回転させる間、当該ディスプレイには回転直前まで表示されていた画像が継続して表示され、或いは、画面がブラックアウトする。前者の場合、ユーザからの視点によるとディスプレイの回転と共にその表示画像も回転してしまう為、ユーザにとって鑑賞し難いものとなり得る。また、後者の場合、直前まで表示されていた画像そのものが回転期間中消えてしまう為、ユーザはこれを鑑賞することができない。
【０００４】
そこで、本発明は上記の事情に鑑み、ディスプレイ回転期間中もユーザにその表示画像を快適に鑑賞させることができる画像表示装置、画像表示方法、及び、画像表示プログラムを提供することを目的とする。
【課題を解決するための手段】
【０００５】
上記の課題を解決する本発明の一態様に係る画像表示装置は、所定の構造体に回転可能に支持された画像を表示する表示部と、所定の構造体に対する表示部の角度を検出する角度検出手段と、検出された角度に応じて該画像を回転表示させる描画手段とを備えている。
【０００６】
なお、描画手段は、所定の構造体に対する画像の角度を常に一定に保つよう当該画像を回転表示させることができる。また、角度検出手段が表示部の回転方向を検出でき、この場合、描画手段が、検出された回転方向と逆方向に、検出された角度と同一角度、画像を回転表示させることができる。また、描画手段は、そのアスペクト比を常に一定に保つよう画像を表示させることもできる。
【０００７】
また、上記画像表示装置において、角度検出手段がステッピングモータであっても良い。
【０００８】
また、上記画像表示装置において、所定の構造体が車両に搭載された車載器であっても良い。
【０００９】
また、上記の課題を解決する本発明の一態様に係る画像表示方法は、所定の構造体に回転可能に支持された表示部に画像を表示する表示ステップと、表示部を所定の構造体に対して回転させる回転ステップと、所定の構造体に対する表示部の角度を検出する角度検出ステップと、検出された角度に応じて該画像を回転表示させる描画ステップとを含む。
【００１０】
なお、描画ステップにおいて、所定の構造体に対する画像の角度を常に一定に保つよう当該画像を回転表示させることができる。また、角度検出ステップにおいて表示部の回転方向を検出でき、この場合、描画ステップにおいて、検出された回転方向と逆方向に、検出された角度と同一角度、画像を回転表示させることができる。また、描画ステップにおいて、そのアスペクト比を常に一定に保つよう画像を表示させることもできる。
【００１１】
また、上記の課題を解決する本発明の一態様に係る画像表示プログラムは、所定の構造体に回転可能に支持された表示部に画像を表示させ、表示部を所定の構造体に対して回転させたとき、所定の構造体に対する表示部の角度を検出し、検出された角度に応じて該画像を回転表示させる。
【００１２】
なお、上記画像表示プログラムは、所定の構造体に対する画像の角度を常に一定に保つよう当該画像を回転表示させることができる。また、表示部の回転方向を検出し、検出された回転方向と逆方向に、検出された角度と同一角度、画像を回転表示させるもできる。また、アスペクト比を常に一定に保つよう画像を表示させることもできる。
【００１３】
また、上記の課題を解決する本発明の一態様に係る画像表示装置は、所定の構造体に回転可能に支持された、画像を表示する表示部と、基準となる線に対する画像の角度を常に一定に保つよう当該画像を表示する表示制御手段とを備えている。
【発明の効果】
【００１４】
本発明の画像表示装置、画像表示方法、及び、画像表示プログラムを採用した場合、表示部の角度に応じて画像を回転表示させる為、表示部回転中、ユーザの視点から観たときに当該画像を回転していないように表示させることができる。従って、ユーザは、表示部回転中もその画像を快適に鑑賞することができる。
【発明を実施するための最良の形態】
【００１５】
本発明の実施の形態の画像表示装置は、動画・静止画を表示するあらゆる機器に適用可能であるが、ここでは、例えば移動体である車両に搭載された車載器に備えられたものとする。この画像表示装置を有した車載器を使用する場合、ユーザは、ディスプレイ回転期間中もその表示画像を快適に鑑賞することができる。
【００１６】
以下、図面を参照して、本発明の実施の形態の車載器の構成及び作用について説明する。
【００１７】
図１は、本実施形態の車載器１００の構成を示したブロック図である。本実施形態の車載器１００は、制御部１０、操作部１２、受信機１４、画像処理部１６、ディスプレイ１８、メモリ２０、オン・スクリーン・ディスプレイ（以下、ＯＳＤと略記）２２、及び、ステッピングモータ２４を備えている。制御部１０は、車載器１００全体の制御を統括して実行する。操作部１２は、車載器１００をユーザが操作する為のものであり、例えば、リモートコントロールスイッチであっても良く、或いは、車載器１００前面に配列されたメカニカル・ボタンであっても良い。なお、車載器１００の電源スイッチは操作部１２に含まれる。
【００１８】
受信機１４は、テレビ放送波を受信する為の受信アンテナに加え、放送局のチャンネルを選択する為のチューナ機能を有している。画像処理部１６は、受信機１４からの入力信号に所定の処理を加えて映像信号に変換し、それをディスプレイ１８に出力する。
【００１９】
ここで図２に、車載器１００を正面から見たときの外観図であって、その中からディスプレイ１８のみを抽出した外観図を示す。ディスプレイ１８は、図２の状態で横方向に長い表示領域１８ａを有しており、画像処理部１６から出力される映像信号に基づいて例えば毎秒３０枚のフレーム画像から成る動画、又は、静止画（例えば図２のアスペクト比１６：９の画像１８ｂ）を表示することができる。
【００２０】
また、車載器１００は、外部入力端子（不図示）を備えており、例えば周知のディジタル・スチール・カメラ（以下、ＤＳＣと略記）等の外部機器２００のデータを取り込むことができる。ここで取り込まれたデータはメモリ２０に格納される。格納データが例えばＤＳＣから取得された画像データである場合、当該格納データは、制御部１０の制御下で、メモリ２０から読み出されて画像処理部１６によって処理され、当該ディスプレイ１８に出力されて動画や静止画として表示される。
【００２１】
ＯＳＤ２２は、上述されたテレビ放送の映像やＤＳＣ等の動画や静止画にテキストデータやバイナリデータから成る所定の文字列や画像を重畳させることができる。また、画像１８ｂ以外の領域を例えばブラックでマスキングすることもできる。例えば図２において画像１８ｂがＤＳＣから取得された画像データである場合に、ＯＳＤ２２を機能させることにより、図２に示されたように、そのファイル名や作成日等を表す文字列Ｔが画像１８ｂに重畳して表示される。
【００２２】
ステッピングモータ２４は、入力されたパルスに応じて駆動するアクチュエータであり、ディスプレイ１８の軸部Ａｘを中心に当該ディスプレイ１８全体を車載器１００に対して回転させることができる。ステッピングモータ２４は、例えば、一相励磁式のものであり、１パルス入力される毎に３°回転する。ディスプレイ１８は、この軸部Ａｘによって車載器１００に回転自在に支持されている。
【００２３】
次に、ディスプレイ１８回転時における画像表示処理について説明する。図３は、本実施形態の車載器１００で実行される画像表示処理を示したフローチャートである。また、図４は、ディスプレイ１８の回転を説明する為の図である。本実施形態の画像表示処理は車載器１００を起動させたときに開始される。
【００２４】
車載器１００を起動させると、制御部１０は、例えば周知の機械的手段（不図示）を用いてステッピングモータ２４のイニシャライズを実行する（ステップ１、以下、ステップを「Ｓ」と略記）。なお、本実施形態では、ディスプレイ１８は、図４で示された水平位置Ｐ１と垂直位置Ｐ３の二値のみで停止する。上記イニシャライズを実行することにより、制御部１０は、ディスプレイ１８の初期位置が水平位置Ｐ１又は垂直位置Ｐ３のいずれであるかを検出すると共に、ステッピングモータ２４のロータ（すなわち回転磁性体）を初期位置にセットし、自身の持つカウンタのカウント値Ｃを０に設定する（Ｓ２）。
【００２５】
ディスプレイ１８を回転させるようにユーザが操作部１２を操作すると、制御部１０は、ステッピングモータ２４にパルス信号を出力し、１パルス出力する毎にカウント値Ｃを１インクリメントする（Ｓ３）。このときの表示画像が例えばテレビ放送の映像である場合、制御部１０は、３フレーム毎のタイミングと同期させて１パルス（すなわち毎秒１０パルス）を出力する。また、静止画である場合、上記の如き同期処理を実行できない為、単に、自身の持つクロックを参照して毎秒１０パルスを出力する。従って、ディスプレイ１８が水平位置Ｐ１から垂直位置Ｐ３、或いは、垂直位置Ｐ３から水平位置Ｐ１への回転に要する時間はおよそ３秒となる。
【００２６】
本実施形態ではアクチュエータとしてステッピングモータ２４を用いている為、制御部１０は、ディスプレイ１８の初期位置及び出力パルス数に基づいて、水平位置Ｐ１に対する当該ディスプレイ１８の現在の角度を検出する（Ｓ４）。例えば初期位置がＰ１であり、出力パルス数が１４の場合、制御部１０は、ディスプレイ１８が水平位置Ｐ１に対して４２°回転した状態（例えば図４の位置Ｐ２）にあることを検出する。なお、上記イニシャライズで検出された初期位置に応じてディスプレイ１８の回転方向を変える必要がある。制御部１０は、初期位置が水平位置Ｐ１の場合にはその回転方向を時計回りに設定し、垂直位置Ｐ３の場合にはその回転方向を反時計回りに設定する。そして、ここで設定された回転方向に応じた励磁でステッピングモータ２４を駆動させる。
【００２７】
Ｓ４の処理において角度を検出すると、制御部１０は、自身の持つＲＯＭ等に記憶されたテーブルであって、表示画像サイズ及び角度とディスプレイ１８の角度との関係を示したテーブルを読み込む。そして検出角度に基づいて該当する設定を前記のテーブルから読み出し、その設定を反映したサイズ及び角度で画像を描画するよう画像処理部１６を作動させる（Ｓ５）。なお、上述したように３フレーム毎のタイミングでディスプレイ１８を回転させる為、上記設定も３フレーム毎に変更される。また、静止画の場合には十分の一秒毎に上記設定が変更される。
【００２８】
ここで、表示画像の回転角度とディスプレイ１８の回転角度は、その絶対値が同一であり、その符号が異なる。すなわちディスプレイ１８が反時計回りに３０°回転したとき、画像１８ｂは、表示領域１８ａ中を時計回りに３０°回転する。これにより、画像１８ｂは、ディスプレイ１８回転時であっても、常に、水平位置Ｐ１に対して回転していないように表示される。別の言い方をすると、画像１８ｂは、基準となる線（水平位置Ｐ１又は垂直位置Ｐ３におけるディスプレイ１８長手方向と一致する線）に対して常に同一角度を保つように表示される。図４において例えばディスプレイ１８が位置Ｐ２にある場合、画像１８ｂは、自身の長辺と表示領域１８ａの長辺とが成す角度θが４２°になるように表示される。
【００２９】
また、画像１８ｂは、ディスプレイ１８回転時、常に、その頂点Ｔ１及びＴ２がそれぞれ異なる表示領域１８ａの長辺に接するように表示される。このとき画像１８ｂのアスペクト比は、回転前の状態に保たれる（ここでは１６：９）。表示画像のサイズは、ディスプレイ１８の角度によって変位し得る、これらの接点の位置に応じて拡大或いは縮小される。
【００３０】
なお、画像処理部１６は、文字列Ｔについても画像１８ｂと同様に処理する。従って、ディスプレイ１８回転時に、文字列Ｔも回転していないように表示される。
【００３１】
表示画像の角度及びサイズを上記の如く設定すると、当該表示画像を、回転していないような状態を維持しつつ、その角度における最大限のサイズで表示させることができる。これにより、ユーザは、ディスプレイ１８回転途中であっても、常に一定の角度に保たれた画像を、できる限り大きなサイズで鑑賞することができる。
【００３２】
Ｓ５の処理実行後、制御部１０は、カウント値Ｃがｎ（＝３０）であるか否かを判定する（Ｓ６）。カウント値Ｃがｎであると判定した場合（Ｓ６：ＹＥＳ）、ディスプレイ１８が位置Ｐ２（或いは水平位置Ｐ１）に到達したと判断し、ステッピングモータ２４を停止させて処理を終了させる。また、カウント値Ｃがｎでないと判定した場合（Ｓ６：ＮＯ）、ディスプレイ１８が位置Ｐ２（或いは水平位置Ｐ１）に到達しておらず回転途中であると判断し、Ｓ３の処理に戻り、更なるパルスを出力させて上記一連の処理を繰り返す。
【００３３】
以上が本発明の実施形態である。本発明はこれらの実施形態に限定されるものではなく様々な範囲で変形が可能である。
【００３４】
なお、本実施形態ではステッピングモータ２４を用いてディスプレイ１８を回転させているが、別の実施形態では手動で回転させても良い。この場合、角度検出手段として、例えばロータリエンコーダや可変抵抗器等を用いることが望ましい。
【００３５】
また、本実施形態ではディスプレイ１８を二値で停止させているが、別の実施形態では操作部１２の例えばボタン等を押圧する時間に応じてディスプレイ１８を回転させるようにしても良い。この場合、押圧時間によって回転角度が決定する為、ディスプレイ１８を例えば位置Ｐ２で停止させることもできる。
【図面の簡単な説明】
【００３６】
【図１】本発明の実施の形態の車載器の構成を示したブロック図である。
【図２】本発明の実施の形態の車載器に備えられたディスプレイの正面外観図である。
【図３】本発明の実施の形態の車載器で実行される画像表示処理を示したフローチャートである。
【図４】本発明の実施の形態の車載器に備えられたディスプレイの回転を説明する為の図である。
【符号の説明】
【００３７】
１０  制御部
１２  操作部
１４  受信機
１６  画像処理部
１８  ディスプレイ
２０  メモリ
２２  ＯＳＤ
２４  ステッピングモータ
１００  車載器
【図１】
2006259358.tif 000003
【図２】
2006259358.tif 000004
【図３】
2006259358.tif 000005
【図４】
2006259358.tif 000006